(57)【特許請求の範囲】
【請求項１】
キャビネット（２）における上げ底板（３）の下面に固定する左右一対の固定フレーム（１）に、前後に車輪（６）を設けた可動フレーム（４）を揺動可能に挿入し、且つ固定フレーム（１）の左右両側板７に、上端を枢軸（８）により軸着した前後一対の平行リンク（５）の下端と可動フレーム（４）の左右両側板（９）とを連結軸（１０）により連結し、該連結軸（１０）は可動フレーム（４）の左右両側板（９）の下部に、枢軸（８）の下方より前側に位置する前端から、枢軸（８）の後側に位置する後端に亘り、枢軸（８）を中心として円弧状に形成したガイド溝（１１）を貫通させ、キャビネット（２）の前方への傾斜により、可動フレーム（４）が枢軸（８）を支点として回動して前進しながら下降して車輪（６）がキャビネット（２）から突出し、キャビネット（２）の後方への傾斜により、可動フレーム（４）が枢軸（８）を支点として回動して後退しながら上昇して車輪（６）がキャビネット（２）内に沈むように形成した収納家具用キャスターにおいて、前記左右の可動フレーム（４）を連結した連杆の中央部に、キャビネット（２）の前面に突出する操作杆（１４）を固定したことを特徴とする収納家具用キャスター。
【発明の詳細な説明】
【技術分野】
【０００１】
本発明は、収納家具におけるキャビネットから車輪を突出させて収納家具を移動し、車輪をキャスター内に沈ませて収納家具を設置する収納家具用キャスターに関するものである。
【背景技術】
【０００２】
実開昭５６−９３３０５号公報には、キャビネットにおける上げ底板の下面に固定する軸受け枠の両側壁に一対の傾斜溝を形成し、この傾斜溝に車輪の回転軸を摺動自在に支持させ、キャビネットを前方に引き寄せたとき、キャビネット内に沈んでいた車輪がキャビネットの下端より突出し、キャビネットを停止したとき、キャビネットの重量により車輪がキャビネットの下端内に沈む装置が開示されている。しかしこの装置は、前方への移動は容易であるが、後方への移動が出来ないので、実用化は不可能である。
【０００３】
また実開昭５６−９３３０３号公報には、上記装置の欠点を解消するために、自在車輪を使用し、水平方向に自在に回転する軸受け枠の両側壁に一対の傾斜溝を形成し、この傾斜溝に車輪の回転軸を摺動自在に支持させ、キャビネットを前方に引いたり、キャビネットを後方に押したりしたとき、軸受け枠が反転すると共にキャビネット内に沈んでいた車輪がキャビネットより突出するようにした装置が開示されている。しかしこの装置は、キャビネットを引いたり押したりしてもキャビネットの重量により、キャビネットの下端が床面に密接し、軸受けを反転したり車輪を突出させることは不可能であり、従ってこの装置も実用化は不可能である。
【特許文献１】実開昭５６−９３３０５号公報
【特許文献２】実開昭５６−９３３０３号公報
【発明の開示】
【発明が解決しようとする課題】
【０００４】
本発明は、キャビネットの下端より車輪を突出させて収納家具を移動し、また車輪をキャビネット内に沈ませ、キャビネットの下端を床面に接地させて収納家具を安定させる収納家具用キャスターを提供しようとするものである。
【課題を解決するための手段】
【０００５】
本発明に係る請求項１の収納家具用キャスターは、キャビネット（２）における上げ底板３の下面に固定する左右一対の固定フレーム１に、前後に車輪（６）を設けた可動フレーム（４）４を揺動可能に挿入し、且つ固定フレーム１の左右両側板７に、上端を枢軸（８）により軸着した前後一対の平行リンク（５）の下端と可動フレーム（４）の左右両側板９とを連結軸（１０）により連結し、該連結軸（１０）は可動フレーム（４）の左右両側板（９）の下部に、枢軸（８）の下方より前側に位置する前端から、枢軸（８）の後側に位置する後端に亘り、枢軸（８）を中心として円弧状に形成したガイド溝（１１）を貫通させ、キャビネット（２）の前方への傾斜により、可動フレーム（４）４が枢軸（８）を支点として回動して前進しながら下降して車輪（６）がキャビネット（２）から突出し、キャビネット（２）の後方への傾斜により、可動フレーム（４）が枢軸（８）を支点として回動して後退しながら上昇して車輪（６）がキャビネット（２）内に沈むように形成した収納家具用キャスターにおいて、前記左右の可動フレーム（４）を連結した連杆（１３）の中央部に、キャビネット（２）の前面に突出する操作杆（１４）を固定したことを特徴としている。
【０００６】
この請求項１の収納家具用キャスターは、キャビネット（２）における上げ底板の下面に左右一対の固定フレーム（１）を固定し、操作杆（１４）の先端をキャビネット（２）より突出させ、キャビネット（２）を前方に傾斜させると、固定フレーム（１）に前後一対の平行リンク（５）で連結された可動フレーム（４）が、前側に移動しながら下降して車輪（６）をキャビネット（２）の下端より突出する。そこで前方に傾斜しているキャビネット（２）を元に戻すと、床面には車輪（６）が接し、キャビネット（２）は床から浮上するので、収納家具を前方又は後方に容易に移動できるのである。このように車輪（６）が床面（１２）に接した状態においてキャビネット（２）を後方に傾斜させると、可動フレーム（４）は後方に移動しながら上昇して車輪（６）をキャビネット（２）内に沈ませる。そこで後方に傾斜しているキャビネット（２）を元に戻すとキャビネット（２）の下端は床面に接地し、収納家具は安定する。
【０００７】
また車輪（６）が床面（１２）に接触し、キャビネット（２）が床面（１２）から浮上した状態において、キャビネット（２）の前面に突出した操作杆（１４）を押し込むと、可動フレーム（４）は後方に移動して車輪（６）がキャビネット（２）内に沈むので、キャビネット（２）の下端は床面（１２）に接地し、収納家具は安定する。
【発明の効果】
【０００８】
本発明に係る請求項１の収納家具用キャスターは、キャビネット（２）を前方に傾斜させることにより、車輪（６）をキャビネット（２）より突出させて収納家具を容易に移動させることができ、反対にキャビネット（２）を後方に傾斜させることにより車輪（６）をキャビネット（２）内に沈ませ、床面（１２）へ容易に安定させることができる。しかも、キャビネット（２）から車輪（６）が突出した状態において操作杆（１４）を押し込むと、キャビネット（２）の下端を床面（１２）に接地することができるので、例えば収納家具を壁面に沿って設置しようとする場合に、特に便利である。
【発明を実施するための最良の形態】
【０００９】
以下、本発明に係る請求項１の実施形態を図１〜図５を参照して詳細に説明する。図１は本発明に係る収納家具用キャスターの側面図、図２は同上一部切欠き平面図、図３は同上一部切欠き正面図、図４及び図５は同上キャスターの作動状態を示す説明図である。
である。
【００１０】
符号（１）は収納家具におけるキャビネット（２）の底上げ板（３）の下面に固定する左右一対の金属製の固定フレームであり、前後両端及び下端が開口した形状をしている。符号（４）は前後及び下端が開口した形状の金属製の可動フレーム（４）であり、左右一対の固定フレーム（１）内に挿入し、平行リンク（５）により固定フレーム（１）に揺動自在に連結し、前後の内側に車輪（６）を軸着している。
【００１１】
上記平行リンク（５）は、上端を固定フレーム（１）の左右両側板（７）の前後に枢軸（８）により軸着し、下端を可動フレーム（４）の左右両側板（９）の前後に連結軸（１０）により軸着している。この連結軸（１０）は可動フレーム（４）の左右両側板（９）を貫通し、その突出端を固定フレーム（１）の左右両側板（７）に形成した円弧状のガイド溝（１１）を貫通して平行リンク（５）の下端に固定している。またガイド溝（１１）は前端（１１ａ）より後端（１１ｂ）の方が高い位置にある。従って、ガイド溝（１１）の前端（１１ａ）に連結軸（１０）が当接するときは、車輪（６）はキャビネット（２）より突出するが、ガイド溝（１１）の後端（１１ｂ）に連結軸（１０）が当接するときは、車輪（６）はキャビネット（２）内に沈む。
【００１２】
図１、図２に示すように、キャビネット（２）における上げ底板（３）の下面に左右一対の固定フレーム（１）を固定し、図３（１）に示す接地状態において、図３（２）に示すようにキャビネット（２）の上端を前方に傾斜させるときは、可動フレーム（４）は自重により、連結軸（１０）がガイド溝（１１）の前端（１１ａ）に達するまで前進して、車輪（６）をキャビネット（２）の下端より突出させる。傾斜したキャビネット（２）を元の状態に戻しても、可動フレーム（４）は前進した侭であり、車輪（６）の突出状態を保つため、図３（３）に示すように、車輪（６）が床面（１２）に接し、キャビネット（２）は床面（１２）より浮上して、収納装置を容易に走行し得る状態となる。
【００１３】
図４（１）に示すように、車輪（６）が床面（１２）に接し、キャビネット（２）が床面１２より浮上した状態において、図４（２）に示すようにキャビネット（２）の上端を後方に傾斜させるときは、可動フレーム（４）は自重により、連結軸（１０）がガイド溝（１１）の前端（１１ａ）より高位置にある後端（１１ｂ）に達するまで後退し、車輪（６）をキャビネット（２）内に沈ませる。後方に傾斜したキャビネット（２）を元に戻しても、可動フレーム（４）は後退した侭であり、車輪（６）がキャビネット（２）内に沈んだ状態を保つため、図４（３）に示すように、キャビネット（２）の下端が接地し、収納家具が安定した状態となる。
【００１４】
符号（１３）は左右の可動フレーム（４）を連結した連杆であり、左右両端を可動フレーム（４）の側板（９）に回動可能に挿着している。符号（１４）は連杆（１３）の中央部に後端を連結した操作杆であり、その前端をキャビネット（２）の前板（１５）に穿設した縦長の透孔（１６）より前方に突出している。
【００１５】
図１〜図３に示すように、キャビネット（２）における上げ底板（３）の下面に左右一対の固定フレーム（１）を固定し、操作杆（１４）の前端をキャビネット（２）の前板（１５）に穿設した縦長の透孔（１６）より突出させる。図４（１）に示す状態において、図４（２）に示すように、キャビネット（２）の上端を前方に傾斜させるときは、可動フレーム（４）は連結軸（１０）がガイド溝（１１）の前端（１１ａ）に達するまで前進して、車輪（６）をキャビネット（２）の下端より突出させると共に、操作杆（１４）を、やや突出させる。前方に傾斜したキャビネット（２）を元の状態に戻しても、可動フレーム（４）は前進した侭であり、車輪（６）の突出状態を保つため、図４（３）に示すように、車輪（６）が床面（１２）に接し、キャビネット（２）が床面（１２）より浮上して、収納家具を容易に走行し得る状態となる。
【００１６】
図５（１）に示す状態において、図５（２）に示すように、キャビネット（２）の上端を後方に傾斜させるときは、可動フレーム（４）は連結軸（１０）がガイド溝（１１）の前端（１１ａ）より高位置にある後端（１１ｂ）に達するまで後退し、車輪（６）をキャビネット（２）内に沈ませる。後方に傾斜したキャビネット（２）を元に戻しても、可動フレーム（４）は後退した侭であり、車輪（６）がキャビネット（２）内に沈んだ状態を保つため、図５（３）に示すように、キャビネット（２）の下端が接地し、収納家具が安定した状態となる。
【００１７】
また図５（１）に示す状態において、キャビネット（２）から突出している操作杆（１４）をキャビネット（２）側に押し込むと、図５（３）に示すように可動フレーム（４）が後退しながら上昇し、車輪（６）がキャビネット（２）内に沈んで収納家具が安定状態となる。
【図面の簡単な説明】
【００１８】
【図１】本発明に係る収納家具用キャスターの実施の形態を示す側面図である。
【図２】同上実施の形態の一部切欠き平面図である。
【図３】同上実施の形態の一部切欠き正面図である。
【図４】同上収納家具用キャスターの動作順序を示す側面図である。
【図５】同上収納家具用キャスターの動作順序を示す側面図である。
【符号の説明】
【００１９】
１        固定フレーム
２        キャビネット
３        上げ底板
４        可動フレーム
５        平行リンク
６        車  輪
７        固定フレームの左右両側板
８        平行リンクの上端の枢軸
９        可動フレームの左右両側板
１０      平行リンクの下端の連結軸
１１      ガイド溝
１１ａ    ガイド溝の前端
１１ｂ    ガイド溝の後端
１２      床  面
１３      連  杆
１４      操作杆
１５      前  板
１６      透  孔
【図１】
0005043326.tif 000002
【図２】
0005043326.tif 000003
【図３】
0005043326.tif 000004
【図４】
0005043326.tif 000005
【図５】
0005043326.tif 000006